(57)【特許請求の範囲】
【請求項１】
同一の放送番組を送信する複数の周波数の放送信号を受信しその受信の優先順位を設定する優先順位設定部と、
前記優先順位が所定位までの前記放送信号の前記周波数に同調し、前記所定位までの前記放送信号を受信する受信部と、
前記受信部で受信した前記放送信号と、前記周波数情報と、前記優先順位情報と、前記優先順位が設定された時間情報とを記憶する記憶部と、
を備えた信号収録部と、
前記記憶部に記憶された前記周波数情報に基づき前記所定位までの前記周波数に同調し、前記優先順位情報および前記時間情報に基づき前記記憶部に記憶された前記放送信号を再生し送信する信号再生部と、
を備えたこと、
を特徴とする信号収録再生装置。
【請求項２】
前記優先順位設定部が、前記放送信号を送信する放送局から送信される複数の前記周波数のデータを受信し、前記優先順位を設定するＲＤＳ受信機であること、
を特徴とする請求項１に記載の信号収録再生装置。
【発明の詳細な説明】
【技術分野】
【０００１】
本発明は、放送信号を収録再生する信号収録再生装置に関するものである。
【背景技術】
【０００２】
さまざまな放送信号に対して開発された放送信号受信機の性能評価を行うにあたって、特に放送信号受信機を車載する場合、車両の移動環境下におけるフィールドテストは重要な項目である。しかしながら、このフィールドテストは準備や評価に膨大な時間と工数を必要とし、さらに同様のフィールドテストを行った場合でも再現性が保たれにくく、同様の評価結果が得られない場合がある、という問題点があった。この問題を解決するために、一度移動環境下で放送信号を収録すれば、電波暗室等の試験室において移動環境下での放送信号を同一に再現することが可能な放送信号収録再生装置が提案されている（特許文献１、２）。
【特許文献１】特開平６−２６５５８７号公報
【特許文献２】特開平１１−１８３５４４号公報
【発明の開示】
【発明が解決しようとする課題】
【０００３】
このような信号収録再生装置で、放送信号を収録する場合は、一般に収録対象となる放送信号の周波数を中心とした帯域をフィルタリングして抽出し、周波数変換後にＡＤ変換を行って、記憶部に記憶させる。
【０００４】
ここで、収録対象となる放送番組を送信する放送信号が複数の周波数で放送されている場合は、放送信号の周波数の数と同数の受信部を設け、各受信部において各放送信号の周波数に対して同調を行い、前述した処理を行って受信した放送信号を収録する。ここで、フィールドにおける放送信号は、走行する地域により変化するため、このような収録方法では、走行する地域のすべての放送信号を全走行地域に渡り受信し収録するように信号収録再生装置を構成する。
【０００５】
しかしながら、ある地域において収録対象である放送信号の周波数が、他の地域では収録対象ではない、すなわち収録の必要のない周波数である場合もあるため、走行する地域におけるすべての周波数の放送信号を全走行地域に渡り受信し収録する方法では、必要以上に記憶容量を消費してしまう、という問題点があった。また、装置構成を、走行する地域におけるすべての周波数の放送信号を全走行地域に渡り受信する装置構成とする必要があり、装置規模の増大やコスト増加につながる、という問題点があった。
【０００６】
本発明では、以上の点に鑑み、収録する放送信号の数を減らし、必要な周波数の放送信号を効率的に収録、再生する信号収録再生装置を提供する。
【課題を解決するための手段】
【０００７】
上記課題を解決するために、請求項１に記載の発明は、同一の放送番組を送信する複数の周波数の放送信号を受信しその受信の優先順位を設定する優先順位設定部と、前記優先順位が所定位までの前記放送信号の前記周波数に同調し、前記所定位までの前記放送信号を受信する受信部と、前記受信部で受信した前記放送信号と、前記周波数情報と、前記優先順位情報と、前記優先順位が設定された時間情報とを記憶する記憶部と、を備えた信号収録部と、前記記憶部に記憶された前記周波数情報に基づき前記所定位までの前記周波数に同調し、前記優先順位情報および前記時間情報に基づき前記記憶部に記憶された前記放送信号を再生し送信する信号再生部と、を備えたことを特徴としている。
【０００８】
上記構成によれば、収録対象のＫ個の放送信号の周波数のうち、受信状態の良い優先順位上位Ｎ位までの周波数の放送信号が記憶される。これにより、収録する放送信号の数を減らし、必要な周波数の放送信号を効率的に収録、再生することができる。また、記憶容量の低減、装置の小型化、低コスト化を図ることができる。
【０００９】
また、請求項２に記載の発明は、請求項１において、前記優先順位設定部が、前記放送信号を送信する放送局から送信される複数の前記周波数のデータを受信し、前記優先順位を設定するＲＤＳ受信機であることを特徴としている。
【００１０】
上記構成によれば、収録対象のＫ個の放送信号の周波数の優先順位を簡単に設定することができる。
【発明の効果】
【００１１】
収録する放送信号の数を減らし、必要な周波数の放送信号を効率的に収録、再生することができる。また、記憶容量の低減、装置の小型化、低コスト化を図ることができる。
【発明を実施するための最良の形態】
【００１２】
以下、本発明の実施形態を図面に従って説明する。
【００１３】
信号収録再生装置は、信号収録部１０Ｒと信号再生部１０Ｐとを備えている。
【００１４】
図１に、本発明における信号収録再生装置の信号収録部１０Ｒのブロック図を、図２に、本発明における信号収録再生装置の信号再生部１０Ｐのブロック図を示す。
【００１５】
信号収録部１０Ｒは、受信部１００、記憶部２００、優先順位設定部３００を備えている。
【００１６】
受信部１００は、受信アンテナ１１０、受信信号処理部１２０、ＡＤ変換部１３０、制御部１４０を備えている。
【００１７】
受信アンテナ１１０は、収録対象となる放送番組を送信する複数の周波数の放送信号を受信する。以下、収録する複数の周波数の放送信号の数をＮとする。
【００１８】
受信信号処理部１２０は、収録する放送信号の数Ｎと同じ数の受信信号処理部１２１〜１２Ｎを備えている。受信信号処理部１２１〜１２Ｎは、後述する制御部１４０により、異なる同調周波数がそれぞれ設定され、設定された同調周波数の放送信号を受信し、周波数変換（ダウンコンバート）やフィルタリング等の信号処理を行って、アナログ信号の形で出力する。この信号処理は、一般的な放送信号受信機の信号処理であるため、詳細な説明は省略する。
【００１９】
ＡＤ変換部１３０は、受信信号処理部１２１〜１２Ｎの出力信号をそれぞれ入力信号とするＮ個のＡＤ変換部１３１〜１３Ｎを備えている。ＡＤ変換部１３１〜１３Ｎは、入力信号として受け取った受信信号処理部１２１〜１２Ｎの出力信号を、それぞれデジタル信号に変換して出力する。
【００２０】
制御部１４０は、後述する優先順位設定部３００から出力される周波数情報と優先順位情報とに基づいて、受信信号処理部１２１〜１２Ｎの同調制御を行う。ここで、受信信号処理部１２１は優先順位１位の周波数の放送信号を受信し、受信信号処理部１２２は優先順位２位の周波数の放送信号を受信し、以下同様にして、受信信号処理部１２Ｎは優先順位Ｎ位の周波数の放送信号を受信する。
【００２１】
ここで、放送信号を収録するエリアにおいて、同一の放送番組を放送する異なる周波数の放送信号がＫ個送信されているものとする。Ｋ≦Ｎであれば、Ｋ個の放送信号が受信状態の良い順に、受信信号処理部１２１〜１２Ｋに受信される。一方、Ｋ＞Ｎであれば、Ｎ個の放送信号が受信状態の良い順に、受信信号処理部１２１〜１２Ｎに受信され、受信状態が劣る（Ｋ−Ｎ）個の放送信号は受信されない。
【００２２】
また、制御部１４０は、優先順位設定部３００から出力される優先順位情報が変化する度に、変化した優先順位に応じて、受信信号処理部１２１〜１２Ｎの同調制御を行う。
【００２３】
また、制御部１４０は、優先順位情報が変化する度に、受信信号処理部１２１〜１２Ｎが受信する周波数、優先順位、優先順位が変化する前の状態の継続時間を、それぞれ周波数情報、優先順位情報、時間情報（以下、これらの信号を収録情報と呼ぶ）として出力する（図５参照）。
【００２４】
記憶部２００は、放送信号記憶部２１０と収録情報記憶部２２０とを備えている。放送信号記憶部２１０は、ＡＤ変換部１３１〜１３Ｎの出力信号を記憶する。収録情報記憶部２２０は、制御部１４０が出力する収録情報（後述）を記憶する。
【００２５】
優先順位設定部３００は、放送局から送信される放送データを受信するＲＤＳ（Ｒａｄｉｏ  Ｄａｔａ  Ｓｙｓｔｅｍ）受信機である。優先順位設定部３００は、放送局から放送データとして送信される周波数リストに基づいて、同一の放送番組を放送している複数の周波数の受信状態の優先順位付けを行い、周波数情報と優先順位情報とを出力する。図３に、周波数情報と優先順位情報の一例を示す。ここで、受信状態の優先順位付けは、受信信号強度、Ｓ／Ｎ比等に基づいて行うことができる。ＲＤＳについては周知の技術であるため、詳細な説明は省略する。
【００２６】
図４は、あるエリアＡ〜Ｅと、各エリアで受信可能な同一の番組を放送する放送信号の周波数との関係を示す図である。このエリアＡ〜Ｅを、矢印に示す経路で走行し、本実施形態の信号収録部１０Ｒで放送信号を収録した場合に、制御部１４０が出力する収録情報の出力例を図５に示す。図５では、収録対象の放送信号の数Ｋ＝５（周波数ＦＡ、ＦＢ、ＦＣ、ＦＤ、ＦＥ）、収録する放送信号の数Ｎ＝３とし、５個の放送信号の中から、受信状態の良い上位３位までの放送信号を収録する例を示している。
【００２７】
信号再生部１０Ｐは、送信部４００、記憶部５００を備えている。
【００２８】
記憶部５００は、放送信号記憶部５１０と収録情報記憶部５２０とを備えている。放送信号記憶部５１０には、記憶部２００の放送信号記憶部２１０で記憶した放送信号、すなわち、ＡＤ変換部１３１〜１３Ｎの出力信号が記憶されている。また、収録情報記憶部５２０には、記憶部２００の収録情報記憶部２２０で記憶した収録情報、すなわち、周波数情報、優先順位情報、時間情報が記憶されている。なお、記憶部２００から記憶部５００への放送信号および収録情報の移動は、図示しないネットワーク経由、または記憶媒体を介して行われる。
【００２９】
送信部４００は、送信アンテナ４１０、送信信号処理部４２０、ＤＡ変換部４３０、制御部４４０を備えている。
【００３０】
ＤＡ変換部４３０は、記憶部５００の放送信号記憶部５１０に記憶されたＮ個の放送信号を入力信号とするＤＡ変換部４３１〜４３Ｎを備えている。ＤＡ変換部４３１〜４３Ｎは、入力信号として受け取った、放送信号記憶部５１０に記憶された放送信号を、それぞれアナログ信号に変換し出力する。
【００３１】
送信信号処理部４２０は、記憶部２００の放送信号記憶部２１０に記憶された放送信号の数Ｎと同じ数の送信信号処理部４２１〜４２Ｎを備えている。送信信号処理部４２１〜４２Ｎは、後述する制御部４４０により、記憶部２００の放送信号記憶部２１０に記憶された放送信号の周波数に対応する同調周波数がそれぞれ設定され、同調制御が行われる。送信信号処理部４２１〜４２Ｎに入力されたＤＡ変換部４３１〜４３Ｎの出力信号は、送信信号処理部４２１〜４２Ｎに入力され、フィルタリングや周波数変換（アップコンバート）等の信号処理を行って、送信信号の形に整えられる。この信号処理は、一般的な無線信号送信機の信号処理であるため、詳細な説明は省略する。
【００３２】
送信アンテナ４１０は、送信信号処理部４２１〜４２Ｎの出力信号を送信する。
【００３３】
制御部４４０は、記憶部５００の収録情報記憶部５２０から収録情報を読み込み、送信信号処理部４２１〜４２Ｎの同調制御を行う。例えば、図５に示す収録情報の場合、記憶部５００の放送信号記憶部５１０に記憶された放送信号の再生を開始してから１２０８秒経過するまでは、放送信号の優先順位は、ＦＡ、ＦＢ、ＦＣの順となる。したがって、制御部４４０は、送信信号処理部４２１を周波数ＦＡに同調制御し、送信信号処理部４２２を周波数ＦＢに同調制御し、送信信号処理部４２Ｎ（Ｎ＝３）を周波数ＦＣに同調制御する。放送信号記憶部５１０に記憶された放送信号の再生を開始してから１２０８秒経過した後の８４６秒間は、放送信号の優先順位は、ＦＢ、ＦＣ、ＦＡの順となる。したがって、制御部４４０は、送信信号処理部４２１を周波数ＦＢに同調制御し、送信信号処理部４２２を周波数ＦＣに同調制御し、送信信号処理部４２Ｎ（Ｎ＝３）を周波数ＦＡに同調制御する。以下、制御部４４０は、同様に送信信号処理部４２１〜４２Ｎの同調制御を行う。
【００３４】
次に、フローチャートを用いて、フィールドにおける放送信号収録時の制御部１４０の動作と、信号収録部１０Ｒで収録した放送信号再生時の制御部４４０の動作の説明を行う。
【００３５】
図６に、フィールドにおける放送信号収録時の制御部１４０の動作のフローチャートを示す。なお、放送信号は、所定のタイミングで放送信号記憶部２１０に記憶されるものとする。
【００３６】
ステップＳ１０１では、制御部１４０において、優先順位設定部３００から出力される優先順位情報の変化の有無の判定が行われる。優先順位設定部３００から出力される優先順位情報の変化がある場合は、フローはステップＳ１０２へ移行する。一方、優先順位設定部３００から出力される優先順位情報の変化がない場合は、フローはステップＳ１０１へ戻る。
【００３７】
ステップＳ１０２では、制御部１４０は、優先順位が付けられた収録対象のＫ個の放送信号の周波数のうち、受信状態の良い優先順位上位Ｎ位までの周波数を、収録する放送信号として選択する。この後に、フローはステップＳ１０３へ移行する。
【００３８】
ステップＳ１０３では、制御部１４０は、ステップＳ１０２で選択した優先順位上位Ｎ位までの周波数に、受信信号処理部１２１〜１２Ｎを同調させる。すなわち、制御部１４０は、受信信号処理部１２１を優先順位１位の周波数に同調させ、受信信号処理部１２２を優先順位２位の周波数に同調させ、以下同様に、受信信号処理部１２Ｎを優先順位Ｎ位の周波数に同調させる。この後に、フローはステップＳ１０４へ移行する。
【００３９】
ステップＳ１０４では、制御部１４０は、ステップＳ１０２で選択した優先順位上位Ｎ位までの周波数を示す周波数情報とその優先順位を示す優先順位情報、優先順位が変化するまでの継続時間を示す時間情報を、記憶部２００の収録情報記憶部２２０に出力する。
【００４０】
以降、放送信号の収録が終了するまで、ステップＳ１０１〜ステップＳ１０４を繰り返す。
【００４１】
以上の動作により、記憶部２００の放送信号記憶部２１０に、収録対象のＫ個の放送信号の周波数のうち、受信状態の良い優先順位上位Ｎ位までの周波数の放送信号が記憶されるとともに、収録情報記憶部２２０には、図５に示すような収録情報、すなわち、周波数情報、優先順位情報、時間情報が記憶される。
【００４２】
図７に、信号収録部１０Ｒで収録した放送信号再生時の制御部４４０の動作のフローチャートを示す。なお、記憶部５００の放送信号記憶部５１０に記憶された放送信号は、所定のタイミングで再生送信されるものとする。
【００４３】
ステップＳ２０１では、制御部４４０が、記憶部５００の収録情報記憶部５２０から、収録情報、すなわち、周波数情報、優先順位情報、時間情報を読み込む。この後に、フローはステップＳ２０２へ移行する。
【００４４】
ステップＳ２０２では、制御部４４０が、周波数情報、優先順位情報、時間情報に基づき、送信信号受信部４２１〜４２Ｎの同調制御を行う。この後に、フローはステップＳ２０３へ移行する。
【００４５】
ステップＳ２０３では、制御部４４０により、再生時間の判定が行われる。再生時間が、収録情報記憶部５２０に収録された時間情報が示す時間と等しい場合は、周波数の優先順位が変化したことを意味し、フローはステップＳ２０２に戻って、制御部４４０は、新たな優先順位に対応した同調制御を行う。一方、再生時間が、収録情報記憶部５２０に収録された時間情報が示す時間に満たない場合は、フローはステップＳ２０３に戻る。
【００４６】
以降、放送信号の再生が終了するまで、ステップＳ２０１〜ステップＳ２０３を繰り返す。
【００４７】
以上の動作により、信号収録部１０Ｒで収録した放送信号を適切に再生することができる。
【００４８】
以上の動作より、収録対象となるＫ個の放送信号のうち、上位Ｎ個（Ｎ＜Ｋ）の放送信号のみを収録することができ、また収録したＮ個の放送信号を適切に再生することができる。これにより、収録する放送信号の数を減らし、必要な周波数の放送信号を効率的に収録、再生することができる。また、記憶容量の低減、装置の小型化、低コスト化を図ることができる。
【００４９】
図８は、複数の放送番組が、それぞれ複数の周波数で放送されている場合の説明図である。
【００５０】
図８において、エリアＡ〜エリアＤでは、放送番組１を放送する周波数ＦＡ〜ＦＤの放送信号が存在し、エリアａ〜エリアｃでは、放送番組２を放送する周波数Ｆａ〜Ｆｄの放送信号が存在する。この場合、各周波数に対して収録再生を行う従来の信号収録再生装置では、周波数ＦＡ〜ＦＤおよび周波数Ｆａ〜Ｆｃ、すなわち、８個の周波数に対する収録を行う必要がある。
【００５１】
これに対して、放送番組１、放送番組２それぞれに対して本発明の信号収録再生装置を用いることにより、例えば放送番組１に対しては上位３位までの周波数の放送信号を収録し、放送番組２に対しては上位２位までの周波数の放送信号を収録することとすると、５個の周波数に対する収録を行えばよいことになり、必要な周波数の放送信号を効率的に収録、再生することができる。また、記憶容量の低減、装置の小型化、低コスト化を図ることができる。
【００５２】
以上、本発明の実施例を図面により詳述したが、実施例は本発明の例示にしか過ぎず、本発明は実施例の構成にのみ限定されるものではない。したがって本発明の要旨を逸脱しない範囲の設計の変更等があっても本発明に含まれることはもちろんである。
【００５３】
例えば、図１に示す信号収録部１０Ｒ、図２に示す信号再生部１０Ｐのブロック図は一例であり、同等の作用効果を実現できるものであれば、図１、図２に示すものに限定されるものではない。
【００５４】
また、信号収録部１０Ｒの記憶部２００と信号再生部１０Ｐの記憶部５００は、記憶する情報の読み書きが可能な着脱可能な共通する記憶部としてもよい。
【００５５】
また、収録再生する放送信号の数は一例であり、任意の数を設定することができる。
【図面の簡単な説明】
【００５６】
【図１】本発明の実施形態における信号収録再生装置の信号収録部のブロッック図である。
【図２】本発明の実施形態における信号収録再生装置の信号再生部のブロック図である。
【図３】本発明の実施形態における優先順位設定部が出力する放送信号の周波数情報と優先順位情報の例を示す図である。
【図４】本発明の実施形態において収録する放送信号の周波数とエリアの関係を示す図である。
【図５】本発明の実施形態において、記憶部に記憶される収録情報の例を示す図である。
【図６】本発明の実施形態における受信部の制御部の放送信号収録時の動作のフローチャートである。
【図７】本発明の実施形態における送信部の制御部の放送信号再生時の動作のフローチャートである。
【図８】本発明の実施形態において収録する放送信号の周波数とエリアの関係を示す他の図である。
【符号の説明】
【００５７】
１００  受信部
１１０  受信アンテナ
１２０、１２１、１２２、１２Ｎ  受信信号処理部
１３０、１３１、１３２、１３Ｎ  ＡＤ変換部
１４０  制御部
２００、５００  記憶部
２１０、５１０  放送信号記憶部
２２０、５２０  収録情報記憶部
３００  優先順位設定部
４００  送信部
４１０  送信アンテナ
４２０、４２１、４２２、４２Ｎ  送信信号処理部
４３０、４３１、４３２、４３Ｎ  ＤＡ変換部
４４０  制御部
【図１】
0004865676.tif 000002
【図２】
0004865676.tif 000003
【図３】
0004865676.tif 000004
【図４】
0004865676.tif 000005
【図５】
0004865676.tif 000006
【図６】
0004865676.tif 000007
【図７】
0004865676.tif 000008
【図８】
0004865676.tif 000009